(57)【要約】【課題】  高ズーム比で、広角端から望遠端における全ズーム範囲にわたり諸収差を良好に補正し、全ズーム範囲において高い光学性能を有するズームレンズを得ること。【解決手段】  物体側から像側へ順に、正の屈折力の第１レンズ群と、負の屈折力の第２レンズ群と、第３レンズ群と、第４レンズ群と、を有するズームレンズであって、第４レンズ群は第４Ｆ群と第４Ｂ群を有し、第４Ｂ群は２枚の負レンズと少なくとも３枚の正レンズによって構成されており、第４Ｂ群は第４Ｂ１群と第４Ｂ２群を有し、第４Ｂ１群と第４Ｂ２群は、いずれも１つの負レンズと、少なくとも１つの正レンズを含んでおり、第４Ｂ１群と第４Ｂ２群のレンズの材料を適切に設定したこと。【選択図】  図１
2010175971.tif 000002
【特許請求の範囲】
【請求項１】
物体側から像側へ順に、ズーミングのためには不動の正の屈折力の第１レンズ群と、広角端から望遠端へのズーミングに際して、像側へ移動する負の屈折力の第２レンズ群と、変倍に伴う像面変動を低減する第３レンズ群と、ズーミングのためには不動の第４レンズ群と、を有するズームレンズであって、
前記第４レンズ群は、物体側から順に、第４Ｆ群と第４Ｂ群とを有しており、
前記第４Ｆ群と前記第４Ｂ群とは、前記第４レンズ群内の最も長い空気間隔を挟んで反対側に位置しており、
前記第４Ｂ群は２枚の負レンズと少なくとも３枚の正レンズによって構成されており、
前記第４Ｂ群は、第４Ｂ１群と第４Ｂ２群とを有しており、
前記第４Ｂ１群に含まれる１つ以上のレンズの厚みの中心位置が、前記第４Ｂ群の全長の中心位置よりも物体側に位置しており、前記第４Ｂ２群に含まれる１つ以上のレンズの厚みの中心位置が、前記第４Ｂ群の全長の中心位置よりも像側に位置しており、
前記第４Ｂ１群と前記第４Ｂ２群の各々は、１つの負レンズと、１つの正レンズを含んでおり、
前記第４Ｂ１群と前記第４Ｂ２群の正レンズの材料の平均アッベ数を各々ν１ｐ、ν２ｐ、前記第４Ｂ１群と前記第４Ｂ２群の負レンズの材料のアッベ数を各々ν１ｎ、ν２ｎとするとき
０．５０  ＜  ν１ｐ／ν１ｎ  ＜  １．１０
２．３０  ＜  ν２ｐ／ν２ｎ
なる条件を満足することを特徴とするズームレンズ。
【請求項２】
前記第４Ｂ２群の正レンズの材料の平均アッベ数と平均部分分散比を各々ν２ｐ、θ２ｐ、該第４Ｂ２群の負レンズの材料のアッベ数と部分分散比を各々ν２ｎ、θ２ｎとするとき
θ２ｎ＋０．００１６２  ×  ν２ｎ  ＜  ０．６７０
（θ２ｎ  −  θ２ｐ）／（ν２ｐ−ν２ｎ）  ＜  ０．００２３
なる条件を満足することを特徴とする請求項１記載のズームレンズ。
【請求項３】
前記第４レンズ群の第４Ｆ群と第４Ｂ群の間に、光路中から挿脱可能で、全系の焦点距離範囲を変位させるレンズユニットを有することを特徴とする請求項１又は２記載のズームレンズ。
【請求項４】
前記第４Ｂ１群と前記第４Ｂ２群の正レンズの合成焦点距離をｆ１ｐ、ｆ２ｐ、前記第４Ｂ１群と前記第４Ｂ２群の負レンズの焦点距離をｆ１ｎ、ｆ２ｎとしたとき、
−１．１  ＜  ｆ１ｐ／ｆ１ｎ  ＜−０．３
−１．３  ＜  ｆ２ｐ／ｆ２ｎ  ＜−０．５
を満足することを特徴とする請求項１乃至３いずれかに記載のズームレンズ。
【請求項５】
光電変換素子に像を形成することを特徴とする請求項１乃至４いずれかに記載のズームレンズ。
【請求項６】
前記光電変換素子の有効領域の対角長をＩＳ、前記ズームレンズ全系の広角端の焦点距離をｆｗとするとき、
０．３２＜ｆｗ／ＩＳ＜０．４７
を満足することを特徴とする請求項５記載のズームレンズ。
【請求項７】
光電変換素子と、前記光電変換素子に被写体像を形成する請求項１乃至６いずれかに記載のズームレンズと、を有することを特徴とする撮像装置。
【発明の詳細な説明】
【技術分野】
【０００１】
本発明はズームレンズ及びそれを有する撮像装置に関し、放送用テレビカメラ、ビデオカメラ、デジタルスチルカメラ、銀塩写真用カメラ等に好適なものである。
【背景技術】
【０００２】
近年、テレビカメラ、銀塩フィルム用カメラ、デジタルカメラ、ビデオカメラ等の撮像装置には、大口径比、高ズーム比、広画角でしかも高い光学性能を有したズームレンズが要望されている。
【０００３】
このうち、放送用のカラーテレビカメラ等の撮像装置では撮像手段の前方（物体側）に色分解光学系や各種のフィルターを配置するため、長いバックフォーカスを有するズームレンズであることが要望されている。
【０００４】
大口径、広画角、高ズーム比でバックフォーカスの長いズームレンズとして、最も物体側に正の屈折力のレンズ群を配置したポジティブリード型の４群ズームレンズが知られている。
【０００５】
この４群ズームレンズは、物体側から像側へ順に合焦用レンズ群を含む正の屈折力の第１レンズ群、変倍用の負の屈折力の第２レンズ群、変倍に伴う像面変動を補正するための正の屈折力の第３レンズ群、そして結像用の正の屈折力の第４レンズ群より成っている。
【０００６】
このポジティプタイプの４群ズームレンズにおいて、広角端の画角が２ω＝７８゜〜９６゜、Ｆナンバーが１．７〜２．０、変倍比が８〜１２の大口径比かつ高変倍の４群ズームレンズが知られている（特許文献１〜３）。
【特許文献１】特開昭６３−２３７０２０号公報
【特許文献２】特開２０００−８９１０９号公報
【特許文献３】特開２０００−３２１４９６号公報
【発明の開示】
【発明が解決しようとする課題】
【０００７】
前述した４群ズームレンズにおいて、大口径比、高変倍比、広角端の撮影画角２ω＝７８°以上で、かつ全変倍範囲に渡って高い光学性能を得るためには、各レンズ群の屈折力やレンズ構成を適切に設定する必要がある。
【０００８】
例えば、結像用の第４レンズ群のレンズ構成が適切でないと、所定の長さのバックフォーカスを確保しつつ、色収差、球面収差、ハロコマ収差、球面収差の色差等の変動を少なくし、高ズーム比で高性能化を図るのが困難となる。
【０００９】
特に第４レンズ群の光路中で物体側と像側のレンズ群との間に全系の焦点距離範囲を変移させるレンズユニット（エクステンダーレンズ）を挿脱可能に構成した場合は、第４レンズ群の像側のレンズ群のレンズ構成を適切に構成するのが重要になってくる。
【００１０】
第４レンズ群の像側のレンズ群のレンズ構成が不適切であると、広角端における倍率色収差を良好に補正し、高い光学性能を有し、広画角かつ高ズーム比のズームレンズを得るのが難しくなる。
【００１１】
本発明は、高ズーム比で、広角端から望遠端における全ズーム範囲にわたり諸収差を良好に補正し、全ズーム範囲において高い光学性能を有するズームレンズ及びそれを有する撮像装置の提供を目的とする。
【課題を解決するための手段】
【００１２】
本発明のズームレンズは、物体側から像側へ順に、ズーミングのためには不動の正の屈折力の第１レンズ群と、広角端から望遠端へのズーミングに際して、像側へ移動する負の屈折力の第２レンズ群と、変倍に伴う像面変動を低減する第３レンズ群と、ズーミングのためには不動の第４レンズ群と、を有するズームレンズであって、前記第４レンズ群は、物体側から順に、第４Ｆ群と第４Ｂ群とを有しており、前記第４Ｆ群と前記第４Ｂ群とは、前記第４レンズ群内の最も長い空気間隔を挟んで反対側に位置しており、前記第４Ｂ群は２枚の負レンズと少なくとも３枚の正レンズによって構成されており、前記第４Ｂ群は、第４Ｂ１群と第４Ｂ２群とを有しており、前記第４Ｂ１群に含まれる１つ以上のレンズの厚みの中心位置が、前記第４Ｂ群の全長の中心位置よりも物体側に位置しており、前記第４Ｂ２群に含まれる１つ以上のレンズの厚みの中心位置が、前記第４Ｂ群の全長の中心位置よりも像側に位置しており、前記第４Ｂ１群と前記第４Ｂ２群各々は、１つの負レンズと、１つの正レンズを含んでおり、前記第４Ｂ１群と前記第４Ｂ２群の正レンズの材料の平均アッベ数を各々ν１ｐ、ν２ｐ（但し正レンズが１つのときは、該正レンズの材料のアッベ数である）、前記第４Ｂ１群と前記第４Ｂ２群の負レンズの材料のアッベ数を各々ν１ｎ、ν２ｎとするとき
０．５０  ＜  ν１ｐ／ν１ｎ  ＜  １．１０
２．３０  ＜  ν２ｐ／ν２ｎ
なる条件を満足することを特徴としている。
【発明の効果】
【００１３】
本発明によれば、全ズーム範囲において高い光学性能を持ったズームレンズ及びそれを有する撮像装置を得られる。
【発明を実施するための最良の形態】
【００１４】
以下に、本発明のズームレンズ及びそれを有する撮像装置の実施例について図を用いて詳細に説明する。図１〜２５は第１〜７実施例のズームレンズのレンズ断面図、広角端（ワイド端）及び望遠端（テレ端）における収差図を示しており、図２６は撮像装置の実施例の要部概略図である。
【００１５】
まず、本発明のズームレンズは、物体側（拡大側、拡大共役側、前方）から像側（縮小側、縮小共役側、後方）へ順に、合焦用レンズ群を含みズーミング（変倍）のためには不動の正の屈折力の第１レンズ群Ｆを有している。更に、広角端（短焦点距離端）から望遠端（長焦点距離端）へのズーミングに際して、像側へ単調に移動する変倍用の負の屈折力の第２レンズ群Ｖを有している。更に、少なくとも一部が（非直線的な軌跡に沿って）移動し、変倍に伴う像面変動を低減（補正）する正又は負の屈折力の第３レンズ群Ｃと、ズーミングに際して固定の第４レンズ群Ｒとを有している。
【００１６】
第４レンズ群は、レンズ群中で最も長い空気間隔を境にして物体側に位置するレンズを第４Ｆ群、像側に位置するレンズを第４Ｂ群を有している。言い換えると、第４Ｆ群と第４Ｂ群とは、第４レンズ群内の最も長い空気間隔を挟んで反対側に位置しており、第４Ｆ群は前述の最も長い空気間隔よりも物体側に位置しており、第４Ｂ群は最も長い空気間隔よりも像側に位置している。
【００１７】
又、第４レンズ群の第４Ｆ群と第４Ｂ群の間に、光路中から挿脱可能で、全系の焦点距離範囲を変位させるレンズユニット（エクステンダーレンズ）を有している。
【００１８】
レンズ断面図において、Ｆはズーミングのためには不動の正の屈折力の第１レンズ群である。
【００１９】
第１レンズ群Ｆは、全体又はその一部を移動させることによりフォーカスを行っている。この第１レンズ群Ｆは、ズーミング（変倍）のためには移動しない。
【００２０】
Ｖはズーミング時に可動の負の屈折力の第２レンズ群（バリエータレンズ群）である。
【００２１】
第２レンズ群Ｖは光軸上像面側へ単調に移動させることにより広角端から望遠端への変倍を行っている。
【００２２】
Ｃはズーミング時に可動であり、変倍に伴う像面位置の変動を補正する正又は負の屈折力の第３レンズ群（コンベンセーターレンズ群）である。
【００２３】
第３レンズ群Ｃは、広角端から望遠端への変倍に際して、少なくとも一部が（非直線的な軌跡に沿って）移動して、変倍に伴う像面変動を低減（補正）している。第２レンズ群Ｖと第３レンズ群Ｃとで変倍系（変倍部）を構成している。
【００２４】
ＳＰは開口絞りであり、第３レンズ群Ｃの像側に配置されている。Ｒは結像のための第４レンズ群（リレーレンズ群）である。
【００２５】
第４レンズ群Ｒは、第４レンズ群Ｒ中最も長い空気間隔をはさんで、物体側に第４Ｆレンズ群（第４Ｆ群）４Ｆ、像側に第４Ｂレンズ群（第４Ｂ群）４Ｂを有している。第４Ｆ群４Ｆと第４Ｂ群４Ｂの間（光路中）に、全系の焦点距離範囲を変位させるレンズユニット（エクステンダーレンズ）ＩＥが逸脱可能に挿入される。更に第４Ｂ群４Ｂは物体側に第４Ｂ１レンズ群（第４Ｂ１群）４Ｂ１、像側に第４Ｂ２レンズ群（第４Ｂ２群）４Ｂ２を有している。
【００２６】
ここで第４Ｂ１群４Ｂ１と第４Ｂ２群４Ｂ２は、第４Ｂ群４Ｂ全長（第４Ｂ群全長）の（光軸上の）中心位置より、レンズ厚の中心位置が物体側に位置するレンズを第４Ｂ１群４Ｂ１、像側に位置するレンズを第４Ｂ２群４Ｂ２としている。言い換えると、第４Ｂ１群に含まれる１つ以上のレンズの厚みの中心位置が、第４Ｂ群の全長の中心位置よりも物体側に位置しており、第４Ｂ２群に含まれる１つ以上のレンズの厚みの中心位置が、第４Ｂ群の全長の中心位置よりも像側に位置している。
【００２７】
Ｐは色分解プリズムや光学フィルターであり、硝子ブロックとして示している。ＩＰは像面であり、固体撮像素子（光電変換素子）の撮像面に相当している。
【００２８】
ここで、図１における、
【００２９】
【数１】
2010175971.tif 000003
【００３０】
は各々、実施例１において広角端における第１レンズ群Ｆの物体側の負レンズと物体側の正レンズに入射する軸外主光線の入射高である。
【００３１】
図２における、ｈ１とｈ２は各々、実施例１において望遠端における第１レンズ群Ｆの物体側の負レンズと物体側の正レンズに入射する軸上マージナル光線の入射高である。
【００３２】
収差図において、球面収差は、ｇ線とｅ線とＣ線を示している。Ｍ、Ｓはメリディオナル像面、サジタル像面、倍率色収差はｇ線とＣ線によってあらわしている。ＦはＦナンバー、ωは半画角である。
【００３３】
尚、以下の各実施例において広角端と望遠端は変倍用の第２レンズ群Ｖが機構上光軸上を移動可能な範囲の両端に位置したときのズーム位置をいう。
【００３４】
次に各実施例の特徴について説明する。
【００３５】
一般に各実施例におけるタイプの４群ズームレンズにおいて、広角端の画角（撮影画角）が７８°以上になると第１レンズ群の有効径が大きくなり、大型化してくる。このとき、第１レンズ群の小型化を実現するためには、第１レンズ群の焦点距離を短縮する必要がある。
【００３６】
更に、広角端における第２レンズ群との主点間隔を小さくするために第１レンズ群のバックフォーカスを長く確保する必要がある。
【００３７】
従って、図１のように、第１レンズ群は物体側に負の屈折力のレンズ群、像側に正の屈折力のレンズ群を配したレトロフォーカス型の形式のものが小型化のために有効である。
【００３８】
更に、広画角化を達成するには、第１レンズ群のバックフォーカスをより長くする必要がある。そうすると第１レンズ群のレトロ比が強まり、第１レンズ群内における物体側の負レンズの屈折力が強くなってくる。
【００３９】
第１レンズ群内の物体側の負のレンズ群の屈折力が強まると、図２における軸上マージナル光線の入射高ｈ１、ｈ２は
ｈ１＜ｈ２
の傾向が強くなる。
【００４０】
一般に入射高ｈ１＜ｈ２の傾向が大きくなるにつれ、軸上色収差を良好に補正するための補正条件から、物体側の正レンズの屈折力が弱くなってくる。
【００４１】
広角端においては、図１のように、第１レンズ群内の物体側の負レンズと正レンズに入射する軸外主光線の入射高
【００４２】
【数２】
2010175971.tif 000004
【００４３】
が大きい。
【００４４】
このため、負レンズの屈折力の強まり、正レンズの屈折力の弱まるにつれて、広角端において倍率色収差が補正不足となり、色収差を良好に補正するのが困難となる。
【００４５】
ただし、倍率色収差の補正不足とは、基準波長より短波長な光の像高が、基準波長の像高より小さくなることを指す。
【００４６】
又、倍率色収差の補正過剰とは、基準波長より短波長な光の像高が、基準波長の像高より大きくなることを指す。
【００４７】
また軸上色収差の補正不足とは、基準波長より短波長な光の結像位置が基準波長より物体側に位置することを指す。又、補正過剰とは、基準波長より短波長な光の結像位置が基準波長より像側に位置することを指す。
【００４８】
そこで各実施例では、第１レンズ群Ｆをレトロフォーカス型のレンズ構成としたときに発生する色収差を第４レンズ群Ｒの第４Ｂレンズ群４Ｂをレンズ構成を適切に設定することによって軽減している。
【００４９】
各実施例では、第４Ｂ群４Ｂは２枚の負レンズと少なくとも３枚の正レンズによって構成している。言い換えると、第４Ｂ群を構成するレンズ（光学的パワーを有する光学素子）が２枚の負レンズと少なくとも３枚の正レンズなのであって、この他光学的なパワーが無い絞りや光学フィルター等を含んでいても構わない。
【００５０】
第４Ｂ１群４Ｂ１と第４Ｂ２群４Ｂ２は、いずれも１つの負レンズと、少なくとも１つの正レンズを含んでいる。
【００５１】
第４Ｂ１群４Ｂ１と第４Ｂ２群４Ｂ２の正レンズの材料の平均アッベ数を各々ν１ｐ、ν２ｐとする。但し各群に正レンズが１つしかないときは、該正レンズの材料のアッベ数である。
【００５２】
第４Ｂ１群４Ｂ１と第４Ｂ２群４Ｂ２の負レンズの材料のアッベ数を各々ν１ｎ、ν２ｎとする。このとき
０．５０  ＜  ν１ｐ／ν１ｎ  ＜  １．１０    ‥‥‥（１）
２．３０  ＜  ν２ｐ／ν２ｎ                  ‥‥‥（２）
なる条件を満足している。
【００５３】
条件式（１）、（２）を満足することで、広角端における倍率色収差を良好に補正し、光学性能の高いズームレンズを実現している。
【００５４】
条件式（１）、（２）は、第４Ｂ１群４Ｂ１内の正レンズと負レンズの材料の分散を規定するものである。
【００５５】
物体側の第４Ｂ１群４Ｂ１と、像側の第４Ｂ２群４Ｂ２においては、軸上マージナル光線の入射高ｈと軸外主光線の入射高
【００５６】
【数３】
2010175971.tif 000005
【００５７】
に差がある。
【００５８】
これを利用し、第４Ｂ１群４Ｂ１と第４Ｂ２群４Ｂ２の正レンズと負レンズの材料のアッベ数比を適切に設定することにより、広角端において、軸上色収差の性能バランスを崩すことなく、倍率色収差を良好に補正している。
【００５９】
条件式（１）の下限を下回ると、第４Ｂ１群４Ｂ１内における正レンズの材料の分散が大きく、負レンズの分散が小さくなりすぎる。このため、倍率色収差を補正しようとすると、第４Ｂ２群４Ｂ２内における負レンズのパワーが増大し、高次収差が大きくなり光学性能が悪化してくる。
【００６０】
条件式（１）の上限を上回ると、第４Ｂ１群４Ｂ１内における正レンズの材料の分散が小さく、負レンズの分散が大きくなりすぎる。このため、軸上色収差と倍率色収差の双方を良好に補正するのが難しく、特に倍率色収差が補正不足となり、光学性能が悪化してくる。
【００６１】
条件式（２）の下限を下回ると、第４Ｂ２群４Ｂ２内における正レンズの材料の分散が大きく、負レンズの分散が小さくなりすぎる。このため、軸上色収差と倍率色収差の双方を良好に補正するのが難しく、特に倍率色収差が補正不足となり、光学性能が悪化する。
【００６２】
各実施例において、更に好ましくは条件式（１）、（２）の数値範囲を次の如く設定するのが良い。
０．５２  ＜  ν１ｐ／ν１ｎ  ＜  １．００    ‥‥‥（１ａ）
２．３５  ＜  ν２ｐ／ν２ｎ                  ‥‥‥（２ａ）
更に好ましくは、条件式（２）で記載したν２ｐ／ν２ｎが、５．００より小さい（より好ましくは３．００より小さい）ことが望ましい。
【００６３】
各実施例では、以上のように第４レンズ群Ｒの像側の第４Ｂ群４Ｂのレンズ構成、レンズの材質のアッベ数等を適切に設定している。これにより、収差補正、特に広角端における倍率色収差を良好に補正し、光学性能の高い、広角かつ高変倍で大口径のズームレンズを実現している。
【００６４】
又、各実施例においては、次の条件式（３）〜（７）のうち１以上を満足すると尚好ましい（勿論、本願発明にとって必須の条件式ではない）。それによれば各条件式に対応した効果が得られる。
第４Ｂ２群４Ｂ２の正レンズの材料の平均アッベ数と平均部分分散比を各々ν２ｐ、θ２ｐとする。
第４Ｂ２群４Ｂ２の負レンズの材料のアッベ数と部分分散比を各々ν２ｎ、θ２ｎとする。このとき
θ２ｎ＋０．００１６２  ×  ν２ｎ  ＜  ０．６７０              ‥‥‥（３）
（θ２ｎ  −  θ２ｐ）／（ν２ｐ−ν２ｎ）  ＜  ０．００２３    ‥‥‥（４）
なる条件のうち１以上を満足することである。
【００６５】
尚、各実施例に用いる光学部材のアッベ数と部分分散比は次のとおりである。
【００６６】
今、フラウンフォーファ線のｇ線、Ｆ線、ｄ線、Ｃ線に対する屈折率をそれぞれＮｇ、ＮＦ、Ｎｄ、ＮＣとするとき、アッベ数νｄ、部分分散比θｇｄの定義は一般的に用いられるものと同じであり、
νｄ＝（Ｎｄ／１）／（ＮＦ／ＮＣ）
θｇｄ＝（Ｎｇ−Ｎｄ）／（ＮＦ−ＮＣ）
で表わされる。
【００６７】
条件式（３）、（４）は、第４Ｂ２群４Ｂ２の正レンズと負レンズの材料の分散と部分分散比を規定するものである。
【００６８】
各実施例では、第４Ｂ群４Ｂ内の中で、軸外主光線の入射高
【００６９】
【数４】
2010175971.tif 000006
【００７０】
の高い、第４Ｂ２群４Ｂ２において、負レンズの材料の部分分散比と、正レンズと負レンズの分散差に対する部分分散比差の傾きを適切に設定している。
【００７１】
これにより広角端において倍率色収差の二次スペクトルを良好に補正している。
【００７２】
条件式（３）（４）から外れた場合には、倍率色収差の短波長側と長波長側の双方において良好なる補正が困難となり、二次スペクトルが悪化する。
【００７３】
各実施例において、更に好ましくは条件式（３）、（４）の数値範囲を次の如く設定するのが良い。
θ２ｎ＋０．００１６２  ×  ν２ｎ  ＜  ０．６６０              ‥‥‥（３ａ）
（θ２ｎ  −  θ２ｐ）／（ν２ｐ−ν２ｎ）  ＜  ０．００２２    ‥‥‥（４ａ）
更に好ましくは
θ２ｎ＋０．００１６２  ×  ν２ｎ  ＜  ０．６４５              ‥‥‥（３ｂ）
（θ２ｎ  −  θ２ｐ）／（ν２ｐ−ν２ｎ）  ＜  ０．００１７    ‥‥‥（４ｂ）
とするのが良い。
【００７４】
更に好ましくは、条件式（３）で記載したθ２ｎ＋０．００１６２  ×  ν２ｎが、０．４００より大きい（より好ましくは０．５５０より大きい）ことが望ましい。
【００７５】
また、条件式（４）で記載した（θ２ｎ  −  θ２ｐ）／（ν２ｐ−ν２ｎ）が、０．００１００より大きい（より好ましくは０．００１２８より大きい）ことが望ましい。
【００７６】
また、第４Ｂ１群と第４Ｂ２群の正レンズの合成焦点距離をｆ１ｐ、ｆ２ｐ、第４Ｂ１群と第４Ｂ２群の負レンズの焦点距離をｆ１ｎ、ｆ２ｎとしたとき、以下の条件式を満足すると尚好ましい。
−１．１  ＜  ｆ１ｐ／ｆ１ｎ  ＜−０．３・・・・・・（５）
−１．３  ＜  ｆ２ｐ／ｆ２ｎ  ＜−０．５・・・・・・（６）
ここで、複数のレンズの合成焦点距離ｆｘとは、複数のレンズの各々の焦点距離をｆ１、ｆ２、ｆ３・・・としたとき、以下のように表されるものとする。
１／ｆｘ＝１／ｆ１＋１／ｆ２＋１／ｆ３＋・・・
この条件式（５）、（６）の少なくとも一方（好ましくは両方）を満足すると、収差（特に広角端における倍率色収差）を効率良く低減（補正）し、光学性能の高い（広角、高変倍、大口径）ズームレンズを提供することができる。
【００７７】
この条件式（５）、（６）は、更に好ましくは、以下の数値範囲を満足すると良い。
−０．９５０  ＜  ｆ１ｐ／ｆ１ｎ  ＜−０．４６０・・・・・・（５ａ）
−１．１５  ＜  ｆ２ｐ／ｆ２ｎ  ＜−０．６５    ・・・・・・（６ａ）
更に好ましくは以下の数値範囲を満足すると良い。
−０．９２０  ＜  ｆ１ｐ／ｆ１ｎ  ＜−０．４８０・・・・・・（５ｂ）
−１．０７  ＜  ｆ２ｐ／ｆ２ｎ  ＜−０．７０    ・・・・・・（６ｂ）
次に、ズームレンズによって形成された被写体像を受光する固体撮像素子（詳細は後述する）の有効領域（実際に撮像に使う領域）のイメージサイズ（対角長）をＩＳ、ズームレンズ全系の広角端の焦点距離をｆｗとする。このとき、以下の条件を満足することが望ましい。
０．３２＜ｆｗ／ＩＳ＜０．４７・・・・・・（７）
この条件式から外れてしまうと、広い画角での撮影を行う場合の歪曲収差の低減（特に、広角端における負の歪曲収差の低減）が困難になってしまう。
【００７８】
この条件式（７）は、より好ましくは以下の条件を満足すると良い。
０．３８＜ｆｗ／ＩＳ＜０．４２・・・・・・（７ａ）
各実施例では、第４レンズ群Ｒ中の第４Ｆ群４Ｆと第４Ｂ群４Ｂの間に、挿脱可能に設けた全系の焦点距離範囲を変位させるレンズユニット（エクステンダーレンズ）ＩＥを有するようにしている。
【００７９】
４群ズームレンズの広角端においては、第４Ｂ群４Ｂで発生する短波長の軸上色収差の補正過剰を、第４Ｆ群４Ｆで発生する短波長の軸上色収差の補正不足で打ち消している。レンズユニットＩＥを有するズームレンズ場合、レンズユニットＩＥの挿入時の収差を考慮する必要がある。そのため、レンズユニットＩＥの挿入時に収差が拡大または縮小されるレンズユニットＩＥより物体側のレンズの収差発生量を大きくすることは望ましくない。よって、第４Ｆ群４Ｆ、第４Ｂ群４Ｂにおいては、それぞれ軸上色収差の発生量を少なくすることが必要となる。
【００８０】
レンズユニットＩＥを有するズームレンズにおいては、広画角化が進むと共に、第４Ｂ群４Ｂにおいて、倍率色収差を補正過剰にしつつ、短波長の軸上色収差を一定以上に補正過剰にしないことが望まれる。
【００８１】
よって、レンズユニットＩＥを有するズームレンズにおいては、前述の条件式（１）、（２）、（３）、（４）を満たすように第４Ｂ群４Ｂを構成することで、より効果的に倍率色収差を補正している。
【００８２】
第４Ｂ群４Ｂの構成（第４Ｂ群内の屈折力を有するレンズの構成）は、以下に示す構成のうちいずれかを満足するような構成であることが望ましい。
◎物体側から像側へ順に、正レンズ、正レンズと負レンズ（順番不問）との接合レンズ、正レンズと負レンズ（順番不問）との接合レンズ、正レンズより成ること。
◎正レンズ、物体側から像側へ順に配置された負レンズと正レンズとの接合レンズ、物体側から像側へ順に配置された正レンズと負レンズとの接合レンズ、正レンズより成ること。
◎正レンズ、物体側から像側へ順に配置された正レンズと負レンズとの接合レンズ、物体側から像側へ順に配置された正レンズと負レンズとの接合レンズ、正レンズより成ること。
◎正レンズ、物体側から像側へ順に配置された負レンズと正レンズとの接合レンズ、物体側から像側へ順に配置された負レンズと正レンズとの接合レンズ、正レンズより成ること。
◎正レンズ、負レンズ、物体側から像側へ順に配置された正レンズと負レンズとの接合レンズ、正レンズより成ること。
◎正レンズ、負レンズ、正レンズ、正レンズ、負レンズ、正レンズより成ること。
◎正レンズ、正レンズ、物体側から像側へ順に配置された負レンズと正レンズとの接合レンズ、物体側から像側へ順に配置された正レンズと負レンズとの接合レンズ、正レンズより成ること。
【００８３】
第４Ｂ群４Ｂをこのように構成し、更に条件式（１）、（２）、（３）、（４）を満たすようにしている。これにより、レンズの小型化と、倍率色収差を含む、球面収差、コマ収差、非点収差、像面湾曲、軸上色収差等の諸収差を良好に補正している。
【００８４】
又、各実施例において、第４Ｆ群４Ｆは、物体側から像側へ順に、正レンズ、正レンズ、正レンズと負レンズとの接合レンズより構成している。これによって全ズーム範囲において良好なる光学性能を得ている。
【００８５】
図２６は各実施例のズームレンズを撮影光学系として用いた撮像装置（テレビカメラシステム）の要部概略図である。図２６において１０１は実施例１〜７のいずれか１つのズームレンズである。１２４はカメラ（カメラ本体）であり、ズームレンズ１０１はカメラ１２４に対して着脱可能になっている。１２５はカメラ１２４にズームレンズ１０１を装着することにより構成される撮像装置である。
【００８６】
ズームレンズ１０１は第１レンズ群Ｆ、変倍部ＬＺ、結像用の第４レンズ群Ｒを有している。レンズ群Ｆは合焦用レンズ群が含まれている。変倍部ＬＺは変倍の為に光軸上を移動する第２レンズ群Ｖと、変倍に伴う像面変動を補正する為に光軸上を移動する第３レンズ群Ｃが含まれている。
【００８７】
ＳＰは開口絞りである。第４レンズ群Ｒは第４Ｆ群４Ｆと、光路中より挿抜可能なレンズユニット（エクステンダーレンズ）ＩＥ、第４Ｂ群４Ｂを有している。
【００８８】
レンズユニットＩＥはズームレンズ１０１の全系の焦点距離範囲を変移している。
【００８９】
１１４、１１５は、各々レンズ群Ｆ、変倍部ＬＺを光軸方向に駆動するヘリコイドやカム等の駆動機構である。
【００９０】
１１６〜１１８は駆動機構１１４、１１５及び開口絞りＳＰを電動駆動するモータ（駆動手段）である。
【００９１】
１１９〜１２１は、第１レンズ群Ｆ、変倍部ＬＺの光軸上の位置や、開口絞りＳＰの絞り径を検出する為のエンコーダやポテンショメータ、あるいはフォトセンサ等の検出器である。
【００９２】
カメラ１２４において、１０９はカメラ１２４内の光学フィルタや色分解プリズムに相当するガラスブロック、１１０はズームレンズ１０１によって形成された被写体像を受光するＣＣＤセンサやＣＭＯＳセンサ等の固体撮像素子（光電変換素子）である。前述のズームレンズ（撮像レンズ）によって、被写体（物体）の像をこの固体撮像素子上に結んでいる。
【００９３】
また、１１１、１２２はカメラ１２４及びズームレンズ本体１０１の各種の駆動を制御するＣＰＵである。
【００９４】
このように本発明のズームレンズをテレビカメラに適用することにより、高い光学性能を有する撮像装置を実現している。
【００９５】
以下に本発明の実施例１〜７に対応する数値実施例１〜７を示す。数値実施例において、ｉは物体側からの面の順序を示し、ｒｉは物体側より第ｉ番目の面の曲率半径、ｄｉは物体側より第ｉ番目と第ｉ＋１番目の間隔、Ｎｉとνｉは第ｉ番目の光学部材の屈折率とアッベ数である。ｆ、Ｆｎｏ、２ωはそれぞれ無限遠物体に焦点を合わせたときの全系の焦点距離、Ｆナンバー、画角を表している。Ｂｆはバックフォーカス、Ｙは像高を表している。
【００９６】
最後の３つの面は、フィルター等のガラスブロックである。
【００９７】
非球面形状は光軸方向にＸ軸、光軸と垂直方向にＨ軸、光の進行方向を正とし、Ｒを近軸曲率半径、ｋを円錐常数、Ｂ、Ｃ、Ｄ、Ｅ、Ａ´、Ｂ´、Ｃ´、Ｄ´をそれぞれ非球面係数としたとき、次式で表している。
【００９８】
【数５】
2010175971.tif 000007
【００９９】
又、上記各実施例（各数値実施例）に関して、前述の各条件式の値を計算した結果を表１に示す。
【０１００】
［数値実施例１］
画面サイズ  対角１１ｍｍ
ｆ  ４.４５〜５７.８５  Ｆｎｏ／１.９０〜２．８０  ２ω  １０２.０゜〜１０.９゜
Ｂｆ  ４．９９９０  Ｙ  ５.５
ｒ          ｄ          nd          ν
*1  227.195     2.50       1.7762       49.60
2  33.736       19.76
3  311.589       1.85       1.7584       52.32
4  80.391       13.54
5  -80.728       1.75       1.7584       52.32
6  -17642.010     1.30
7  135.169       6.62       1.8126       25.42
8  -339.711       1.16
9  328.904       9.40       1.5183       64.14
*10  -74.094     11.86
11  1211.778     8.57       1.4891       70.23
12  -67.682       1.65       1.8881       40.76
13  -126.215     0.20
14  182.391     1.65       2.0117       28.30
15  55.727       10.56     1.4985       81.54
16  -405.898       0.20
17  130.732       9.01       1.4985       81.54
18  -91.216       0.20
19  57.687       7.79       1.6229       60.29
20  1234.500     可変
21  52.721       0.75       1.8881       40.76 
22  13.435       3.29
23  67.192       0.75       1.8881       40.76
24  36.490       2.83
25  -48.656       4.75       1.8126       25.42
26  -12.990       0.80       1.8881       40.76
27  -1003.160       0.20
28  33.652         2.54       1.6942       31.07
29  1299.417       可変
30  -26.243         0.75       1.7584       52.32
31  52.073       2.45       1.8164       22.76
32  -173.421       可変
33  絞り          1.40
34  14228.195     3.80       1.5914       61.14
35  -38.640         0.20
36  92.642         3.10       1.4891       70.23
37  -152.499       0.20
38  52.379         6.64       1.4891       70.23
39  -39.203         1.20       1.8881       40.76
40  6905.542       34.00
41  65.930         5.39       1.5783       41.50
42  -55.384         3.53
43  537.147       1.20       1.8881       40.76
44  23.184       5.27       1.5991       39.24
45  -8948.954       0.24
46  49.707       6.16       1.5183       64.14
47  -25.046       1.20       2.0117       28.30
48  -456.658       0.39
49  62.510       4.70       1.4891       70.23
50  -41.285       4.00
51  ∞            33.00       1.6117       46.44
52  ∞            13.20       1.5187       64.17
53  ∞            5.00
焦点距離
4.45     13.795     57.85
可変間隔
d20            0.91      28.60     44.72
d29            42.27      11.11      6.22
d32             9.00      12.47      1.24
非球面形状
第1面
R  227.195      k  -54.217      B  1.9066・10-6      C  3.7310・10-11
D  -1.9152・10-13      E  -6.7753・10-19
A’  -4.1287・10-6      B’  -1.3218・10-8
C’  2.4226・10-12      D’  2.4438・10-15
第10面
R  -74.094      k  -2.282      B  -2.0884・10-7      C  2.9660・10-11
D  3.4878・10-13      E  -1.1872・10-16
A’  -6.3672・10-7      B’  5.6104・10-10      C’  -1.1116・10-11      D’  -3.1827・10-16
［レンズユニットＩＥの数値実施例］
画面サイズ  対角１１ｍｍ
ｆ  ８．９〜１１５．７  Ｆｎｏ／３．８０〜５．６０  ２ω  ６３.４゜〜５.４゜
Ｂｆ  ４．９９６２  Ｙ  ５.５
ｒ            ｄ        ｎ          ν
1    40.307       6.08       1.4985       81.54
2    -75.735        0.24
3    36.904       5.04       1.6055       60.64
4    -107.008       0.84       1.8548       23.90
5    87.515       11.76
6    -116.601       3.01       1.8164       22.76
7    -23.612       0.56       1.8202       46.62
8    20.218       4.98
【０１０１】
［数値実施例２］
画面サイズ  対角１１ｍｍ
ｆ  ４.４５〜５７.８５  Ｆｎｏ／１.９０〜２．８０  ２ω  １０２.０゜〜１０.９゜
Ｂｆ  ４．９９３１  Ｙ  ５.５
ｒ            ｄ          ｎ          ν
*1        227.195       2.50       1.7762       49.60
2        33.736       19.76
3        311.589       1.85       1.7584       52.32
4        80.391       13.54
5        -80.728       1.75       1.7584       52.32
6    -17642.010         1.30
7        135.169       6.62       1.8126       25.42
8        -339.711       1.16
9        328.904       9.40       1.5183       64.14
*10        -74.094       11.86
11        1211.778       8.57       1.4891       70.23
12        -67.682       1.65       1.8881       40.76
13        -126.215       0.20
14        182.391       1.65       2.0117       28.30
15        55.727       10.56       1.4985       81.54
16        -405.898       0.20
17        130.732       9.01       1.4985       81.54
18        -91.216       0.20
19        57.687       7.79       1.6229       60.29
20        1234.500       可変
21        52.721       0.75       1.8881       40.76
22        13.435       3.29
23        67.192       0.75       1.8881       40.76
24        36.490       2.83
25        -48.656       4.75       1.8126       25.42
26        -12.990       0.80       1.8881       40.76
27        -1003.160       0.20
28        33.652         2.54       1.6942       31.07
29        1299.417       可変
30        -26.243       0.75       1.7584       52.32
31        52.073       2.45       1.8164       22.76
32        -173.421       可変
33        絞り          1.40
34    -15623.885       3.39       1.5914       61.14
35        -45.151       0.20
36        853.121       3.12       1.4891       70.23
37        -105.776       0.20
38        41.089       7.95       1.4891       70.23
39        -37.288       1.20       1.8881       40.76
40        -252.494       34.00
41        591.873       4.79       1.5967       35.31
42        -41.730       0.20
43        88.052       5.27       1.5967       35.31
44        -42.116       1.20       1.8881       40.76
45        -296.998       0.24
46        37.310       6.03       1.4891       70.23
47        -35.443       1.20       2.0117       28.30
48        44.112       0.81
49        33.024       4.97       1.4985       81.54
50        -55.651       4.00
51        ∞            .00       1.6117       46.44
52        ∞            13.20       1.5187       64.17
53        ∞            5.00
焦点距離
4.45     13.795     57.85
可変間隔
d20              0.91      28.60     44.72
d29            42.27      11.11      6.22
d32             9.00      12.47      1.24
非球面形状
第1面
R  227.195      k  -54.217
B  1.9066・10-6      C  3.7310・10-11
D  -1.9152・10-13      E  -6.7753・10-19
A’  -4.1287・10-6      B’  -1.3218・10-8
C’  2.4226・10-12      D’  2.4438・10-15
第10面
R  -74.094      k  -2.282
B  -2.0884・10-7      C  2.9660・10-11
D  3.4878・10-13      E  -1.1872・10-16
A’  -6.3672・10-7      B’  5.6104・10-10
C’  -1.1116・10-11      D’  -3.1827・10-16
【０１０２】
［数値実施例３］
画面サイズ  対角１１ｍｍ
ｆ  ４.４５〜５７.８５  Ｆｎｏ／１.９０〜２．８０  ２ω  １０２.０゜〜１０.９゜
Ｂｆ  ４．９９７０  Ｙ  ５.５
ｒ            ｄ          ｎ          ν
*1        227.195       2.50       1.7762       49.60
2        33.736       19.76
3        311.589       1.85       1.7584       52.32
4        80.391       13.54
5        -80.728       1.75       1.7584       52.32
6    -17642.010       1.30
7        135.169       6.62       1.8126       25.42
8        -339.711       1.16
9        328.904       9.40       1.5183       64.14
*10        -74.094       11.86
11        1211.778       8.57       1.4891       70.23
12        -67.682       1.65       1.8881       40.76
13        -126.215       0.20
14        182.391       1.65       2.0117       28.30
15        55.727       10.56       1.4985       81.54
16        -405.898       0.20
17        130.732       9.01       1.4985       81.54
18        -91.216       0.20
19        57.687       7.79       1.6229       60.29
20        1234.500       可変
21        52.721       0.75       1.8881       40.76
22        13.435       3.29
23        67.192       0.75       1.8881       40.76
24        36.490       2.83
25        -48.656       4.75       1.8126       25.42
26        -12.990       0.80       1.8881       40.76
27        -1003.160       0.20
28        33.652       2.54       1.6942       31.07
29        1299.417       可変
30        -26.243       0.75       1.7584       52.32
31        52.073       2.45       1.8164       22.76
32        -173.421       可変
33        絞り          1.40
34        -4484.945       4.23       1.5914       61.14
35        -33.960       0.20
36        382.348       3.47       1.4891       70.23
37        -84.792       0.20
38        40.593       7.14       1.4891       70.23
39        -39.952       1.20       1.8881       40.76
40        212.532       34.00
41        33.473       6.27       1.5783       41.50
42        -78.955       0.81
43        -134.302       1.20       1.8881       40.76 
44        27.281       5.64       1.5967       35.31 
45        -164.887       5.27       
46        398.087       1.20       2.0117       28.30
47        23.958       6.47       1.4891       70.23
48        -48.297       0.15
49        27.896       4.93       1.4891       70.23
50        -377.442       4.00
51        ∞            33.00       1.6117       46.44
52        ∞            13.20       1.5187       64.17
53        ∞            5.00
焦点距離
4.45     13.795     57.85
可変間隔
d20              0.91      28.60     44.72
d29            42.27      11.11      6.22
d32             9.00      12.47      1.24
非球面形状
第1面
R  227.195      k  -54.217      B  1.9066・10-6      C  3.7310・10-11
D  -1.9152・10-13      E  -6.7753・10-19
A’  -4.1287・10-6    B’  -1.3218・10-8      C’  2.4226・10-12      D’  2.4438・10-15
第10面
R  -74.094      k  -2.282      B  -2.0884・10-7      C  2.9660・10-11
D  3.4878・10-13      E  -1.1872・10-16
A’  -6.3672・10-7    B’  5.6104・10-10      C’  -1.1116・10-11      D’  -3.1827・10-16
【０１０３】
［数値実施例４］
画面サイズ  対角１１ｍｍ
ｆ  ４.４５〜５７.８５  Ｆｎｏ／１.９０〜２．８０  ２ω  １０２.０゜〜１０.９゜
Ｂｆ  ４．９９７８  Ｙ  ５.５
ｒ            ｄ          ｎ          ν
*1        227.195       2.50       1.7762       49.60
2        33.736       19.76
3        311.589       1.85       1.7584       52.32
4        80.391       13.54
5        -80.728       1.75       1.7584       52.32
6    -17642.010       1.30
7        135.169       6.62       1.8126       25.42
8        -339.711       1.16
9        328.904       9.40       1.5183       64.14
*10        -74.094       11.86
11        1211.778       8.57       1.4891       70.23
12        -67.682       1.65       1.8881       40.76
13        -126.215       0.20
14        182.391       1.65       2.0117       28.30
15        55.727       10.56       1.4985       81.54
16        -405.898       0.20
17        130.732       9.01       1.4985       81.54
18        -91.216       0.20
19        57.687       7.79       1.6229       60.29
20        1234.500       可変
21        52.721       0.75       1.8881       40.76
22        13.435       3.29
23        67.192       0.75       1.8881       40.76
24        36.490       2.83
25        -48.656       4.75       1.8126       25.42
26        -12.990       0.80       1.8881       40.76
27        -1003.160       0.20
28        33.652       2.54 N16    1.6942   ν16    31.07
29        1299.417       可変
30        -26.243       0.75       1.7584       52.32
31        52.073       2.45       1.8164       22.76
32        -173.421       可変
33        絞り          1.40
34    -13787.893       3.92       1.5914       61.14 
35        -36.917       0.20
36        106.127       3.35       1.4891       70.23
37        -95.836       0.20
38        48.085       6.72       1.4891       70.23
39        -38.635       1.20       1.8881       40.76
40        293.252       34.00
41        204.940       4.18       1.7044       30.13
42        -54.231       2.66
43        39.548       1.20       1.7323       54.68
44        21.900       1.74
45        24.680       8.75       1.4985       81.54
46        -25.451       1.20       2.0117       28.30
47        436.838       2.00
48        90.478       5.06       1.4891       70.23
49        -31.140       4.00
50        ∞            33.00       1.6117       46.44
51        ∞            13.20       1.5187       64.17
52        ∞            5.00
焦点距離
4.45     13.795     57.85
可変間隔
d20              0.91      28.60     44.72
d29            42.27      11.11      6.22
d32             9.00      12.47      1.24
非球面形状
第1面
R  227.195      k  -54.217      B  1.9066・10-6      C  3.7310・10-11
D  -1.9152・10-13      E  -6.7753・10-19
A’  -4.1287・10-6      B’  -1.3218・10-8
C’  2.4226・10-12      D’  2.4438・10-15
第10面
R  -74.094      k  -2.282      B  -2.0884・10-7      C  2.9660・10-11
D  3.4878・10-13      E  -1.1872・10-16
A’  -6.3672・10-7      B’  5.6104・10-10
C’  -1.1116・10-11      D’  -3.1827・10-16
【０１０４】
［数値実施例５］
画面サイズ  対角１１ｍｍ
ｆ  ４.４５〜５７.８５  Ｆｎｏ／１.９０〜２．８０  ２ω  １０２.０゜〜１０.９゜
Ｂｆ  ４．９９７４  Ｙ  ５.５
ｒ            ｄ          ｎ          ν
*1        227.195       2.50       1.7762       49.60
2        33.736       19.76
3        311.589       1.85       1.7584       52.32
4        80.391       13.54
5        -80.728       1.75       1.7584       52.32
6    -17642.           1.30
7        135.169       6.62       1.8126       25.42
8        -339.711       1.16
9        328.904       9.40       1.5183       64.14
*10        -74.094         11.86
11        1211.778       8.57       1.4891       70.23
12        -67.682       1.65       1.8881       40.76
13        -126.215       0.20
14        182.391       1.65       2.0117       28.30
15        55.727       10.56       1.4985       81.54
16        -405.898       0.20
17        130.732       9.01       1.4985       81.54
18        -91.216       0.20
19        57.687       7.79       1.6229       60.29 
20        1234.500       可変
21        52.721       0.75       1.8881       40.76
22        13.435       3.29
23        67.192       0.75       1.8881       40.76
24        36.490       2.83
25        -48.656       4.75       1.8126       25.42
26        -12.990       0.80       1.8881       40.76
27        -1003.160       0.20
28        33.652       2.54     N16    1.6942       31.07
29        1299.417       可変
30        -26.243       0.75       1.7584       52.32
31        52.073       2.45       1.8164       22.76
32        -173.421       可変
33        絞り      1.40
34        606.159       3.51       1.5914       61.14
35        -46.528       0.20
36        96.040       3.60       1.4891       70.23
37        -97.979       0.20
38        44.810       6.80       1.4891       70.23
39        -44.033       1.20       1.8881       40.76
40        320.626       34.00
41        45.982       5.59       1.5783       41.50
42        -67.644       1.94
43        -178.506       1.20       1.8881       40.76
44        28.093       1.14
45        38.911       4.99       1.5991       39.24
46        -77.231       0.24
47        44.915       5.46       1.4891       70.23
48        -39.741       1.82
49        -31.164       1.20       2.0117       28.30
50        232.885       1.14
51        44.785       5.91       1.4891       70.23
52        -33.328       4.00
53        ∞            33.00       1.6117       46.44
54        ∞            13.20       1.5187       64.17
55        ∞            5.00
焦点距離
4.45     13.795     57.85
可変間隔
d20              0.91      28.60     44.72
d29            42.27      11.11      6.22
d32             9.00      12.47      1.24
非球面形状
第1面
R  227.195      k  -54.217
B  1.9066・10-6      C  3.7310・10-11
D  -1.9152・10-13      E  -6.7753・10-19
A’  -4.1287・10-6      B’  -1.3218・10-8
C’  2.4226・10-12      D’  2.4438・10-15
第10面
R  -74.094      k  -2.282
B  -2.0884・10-7      C  2.9660・10-11
D  3.4878・10-13      E  -1.1872・10-16
A’  -6.3672・10-7      B’  5.6104・10-10
C’  -1.1116・10-11      D’  -3.1827・10-16
【０１０５】
［数値実施例６］
画面サイズ  対角１１ｍｍ
ｆ  ４.４５〜５７.８５  Ｆｎｏ／１.９０〜２．８０  ２ω  １０２.０゜〜１０.９゜
Ｂｆ  ４．９９５１  Ｙ  ５.５
ｒ            ｄ          ｎ          ν
*1        227.195       2.50       1.7762       49.60
2        33.736       19.76
3        311.589       1.85       1.7584       52.32
4        80.391       13.54
5        -80.728       1.75       1.7584       52.32
6    -17642.010        1.30
7        135.169       6.62       1.8126       25.42
8        -339.711       1.16
9        328.904       9.40       1.5183       64.14
*10        -74.094       11.86
11        1211.778       8.57       1.4891       70.23
12        -67.682       1.65       1.8881       40.76
13        -126.215       0.20
14        182.391       1.65       2.0117       28.30
15        55.727       10.56       1.4985       81.54
16        -405.898       0.20
17        130.732       9.01       1.4985       81.54 
18        -91.216       0.20
19        57.687       7.79       1.6229       60.29
20        1234.500       可変
21        52.721       0.75       1.8881       40.76
22        13.435       3.29
23        67.192       0.75       1.8881       40.76 
24        36.490       2.83
25        -48.656       4.75       1.8126       25.42
26        -12.990       0.80       1.8881       40.76
27        -1003.160       0.20
28        33.652       2.54       1.6942       31.07
29        1299.417       可変
30        -26.243       0.75       1.7584       52.32
31        52.073       2.45       1.8164       22.76
32        -173.421       可変
33        絞り          1.40
34      -21035.899       3.57     N19    1.5914     ν19      61.14
35        -41.941       0.20 
36        122.171       3.69     N20      1.4891     ν20      70.23
37        -125.981       0.20
38        51.909       6.78     N21      1.4891     ν21      70.23
39        -39.935       1.20    N22      1.8881     ν22      40.76
40        -544.175       34.00
41        131.979       3.75    N23      1.5783     ν23      41.50
42        -107.599       0.20
43        58.782       5.12     N24      1.5783     ν24      41.50
44        -67.480       0.20
45        -339.467       1.20   N25      1.8881     ν25      40.76
46        22.761       5.32     N26      1.5991     ν26      39.24
47        252.987       0.24
48        52.074       6.32       1.5183       64.14
49        -25.243       1.20       2.0117       28.30
50      2390.369       0.28
51        61.444       4.60       1.4891       70.23
52        -41.699       4.00
53        ∞            33.00       1.6117       46.44
54        ∞            13.20       1.5187       64.17
55        ∞            5.00
焦点距離
4.45     13.795     57.85
可変間隔
d20              0.91      28.60     44.72
d29            42.27      11.11      6.22
d32             9.00      12.47      1.24
非球面形状
第1面
R  227.195      k  -54.217
B  1.9066・10-6      C  3.7310・10-11
D  -1.9152・10-13      E  -6.7753・10-19
A’  -4.1287・10-6      B’  -1.3218・10-8
C’  2.4226・10-12      D’  2.4438・10-15
第10面
R  -74.094      k  -2.282
B  -2.0884・10-7      C  2.9660・10-11
D  3.4878・10-13      E  -1.1872・10-16
A’  -6.3672・10-7      B’  5.6104・10-10
C’  -1.1116・10-11      D’  -3.1827・10-16
【０１０６】
［数値実施例７］
画面サイズ  対角１１ｍｍ
ｆ  ４.４５〜５７.８５  Ｆｎｏ／１.９０〜２．８０  ２ω  １０２.０゜〜１０.９゜
Ｂｆ  ４．９９３１  Ｙ  ５.５
ｒ          ｄ          ｎ          ν
*1        227.195       2.50       1.7762       49.60
2        33.736       19.76
3        311.589       1.85       1.7584       52.32
4        80.391       13.54
5        -80.728       1.75       1.7584       52.32
6    -17642.010        1.30
7        135.169       6.62       1.8126       25.42
8        -339.711       1.16
9        328.904       9.40       1.5183       64.14
*10        -74.094       11.86
11        1211.778       8.57       1.4891       70.23
12        -67.682       1.65       1.8881       40.76
13        -126.215       0.20
14        182.391       1.65       2.0117       28.30
15        55.727       10.56       1.4985       81.54
16        -405.898       0.20 
17        130.732       9.01       1.4985       81.54
18        -91.216       0.20
19        57.687       7.79       1.6229       60.29
20        1234.500       可変
21        52.721       0.75       1.8881       40.76
22        13.435       3.29
23        67.192       0.75       1.8881       40.76
24        36.490       2.83
25        -48.656       4.75       1.8126       25.42
26        -12.990       0.80       1.8881       40.76
27        -1003.160       0.20
28        33.652       2.54       1.6942       31.07
29        1299.417       可変
30        -26.243       0.75       1.7584       52.32
31        52.073       2.45       1.8164       22.76
32        -173.421       可変
33        絞り      1.40
34    -26969.015       3.80       1.5914       61.14
35        -38.478       0.20
36        102.927       3.25       1.4891       70.23
37        -129.303       0.20
38        52.142       6.70       1.4891       70.23
39        -39.230       1.20       1.8881       40.76
40        3435.984       34.00
41        60.084       5.31       1.5783       41.50
42        -59.864       3.06
43        440.992       1.20       1.8881       40.76
44        21.290       6.12       1.5967       35.31
45        -227.554       0.24
46        80.690       5.53       1.5183       64.14
47        -25.508       1.20       1.8126       25.42
48        246.480       2.06
49        44.046       4.77       1.4891       70.23
50        -57.645       4.00
51        ∞            33.00       1.6117       46.44
52        ∞            13.20       1.5187       64.17
53        ∞            5.00
焦点距離
4.45     13.795     57.85
可変間隔
d20              0.91      28.60     44.72
d29            42.27      11.11      6.22
d32             9.00      12.47      1.24
非球面形状
第1面
R  227.195      k  -54.217
B  1.9066・10-6      C  3.7310・10-11
D  -1.9152・10-13      E  -6.7753・10-19
A’  -4.1287・10-6      B’  -1.3218・10-8
C’  2.4226・10-12      D’  2.4438・10-15
第10面
R  -74.094      k  -2.282
B  -2.0884・10-7      C  2.9660・10-11
D  3.4878・10-13      E  -1.1872・10-16
A’  -6.3672・10-7      B’  5.6104・10-10
C’  -1.1116・10-11      D’  -3.1827・10-16
【０１０７】
【表１】
2010175971.tif 000008
【０１０８】
以上の本実施例によれば、全ズーム範囲において高い光学性能を持ったズームレンズ及びそれを有する撮像装置を得られる。
【図面の簡単な説明】
【０１０９】
【図１】実施例１の広角端でのレンズ断面図である。
【図２】実施例１の望遠端でのレンズ断面図である。
【図３】実施例１の広角端での収差図である。
【図４】実施例１の望遠端での収差図である。
【図５】レンズユニット（エクステンダーレンズ）挿入時の実施例１の広角端でのレンズ断面図である。
【図６】レンズユニット（エクステンダーレンズ）挿入時の実施例１の広角端での収差図である。
【図７】レンズユニット（エクステンダーレンズ）挿入時の実施例１の望遠端での収差図である。
【図８】実施例２の広角端でのレンズ断面図である。
【図９】実施例２の広角端での収差図である。
【図１０】実施例２の望遠端での収差図である。
【図１１】実施例３の広角端でのレンズ断面図である。
【図１２】実施例３の広角端での収差図である。
【図１３】実施例３の望遠端での収差図である。
【図１４】実施例４の広角端でのレンズ断面図である。
【図１５】実施例４の広角端での収差図である。
【図１６】実施例４の望遠端での収差図である。
【図１７】実施例５の広角端でのレンズ断面図である。
【図１８】実施例５の広角端での収差図である。
【図１９】実施例５の望遠端での収差図である。
【図２０】実施例６の広角端でのレンズ断面図である。
【図２１】実施例６の広角端での収差図である。
【図２２】実施例６の望遠端での収差図である。
【図２３】実施例７の広角端でのレンズ断面図である。
【図２４】実施例７の広角端での収差図である。
【図２５】実施例７の望遠端での収差図である。
【図２６】本発明の撮像装置の要部概略図である。
【符号の説明】
【０１１０】
Ｍ  ズームレンズ
Ｆ  第１レンズ群
Ｖ  第２レンズ群
Ｃ  第３レンズ群
ＳＰ  絞り
Ｒ  第４レンズ群
Ｐ  ガラスブロック
４Ｆ  第４Ｆ群
４Ｂ  第４Ｂ群
４Ｂ１  第４Ｂ１群
４Ｂ２  第４Ｂ２群
ＩＥ  レンズユニット
【図１】
2010175971.tif 000009
【図２】
2010175971.tif 000010
【図３】
2010175971.tif 000011
【図４】
2010175971.tif 000012
【図５】
2010175971.tif 000013
【図６】
2010175971.tif 000014
【図７】
2010175971.tif 000015
【図８】
2010175971.tif 000016
【図９】
2010175971.tif 000017
【図１０】
2010175971.tif 000018
【図１１】
2010175971.tif 000019
【図１２】
2010175971.tif 000020
【図１３】
2010175971.tif 000021
【図１４】
2010175971.tif 000022
【図１５】
2010175971.tif 000023
【図１６】
2010175971.tif 000024
【図１７】
2010175971.tif 000025
【図１８】
2010175971.tif 000026
【図１９】
2010175971.tif 000027
【図２０】
2010175971.tif 000028
【図２１】
2010175971.tif 000029
【図２２】
2010175971.tif 000030
【図２３】
2010175971.tif 000031
【図２４】
2010175971.tif 000032
【図２５】
2010175971.tif 000033
【図２６】
2010175971.tif 000034